(57)【要約】【課題】３６０度開閉ができ、部品点数を減らして構造を簡素化して低コスト化を図った電子機器等の二軸ヒンジ装置である。【解決手段】第１軸体に回動可能に支持され、端部に第１噛合部と第１カムを有する第１ヒンジカム体３を、第１取付部３ａを介して第１の筐体２ａに固定する。第１軸体と平行に配置される第２軸体に回動可能に支持され、端部に第２噛合部と第２カムを有する第２ヒンジカム体４を、第２取付部４ａを介して第２の筐体２ｂに固定する。第１軸体と第２軸体とは連結部材７で連結される。第１噛合部と第２噛合部とは第１軸体と直角方向に回動自在に配置される歯車９に噛みあい同時回動する。【選択図】      図２
2015190584.tif 000002
【特許請求の範囲】
【請求項１】
第１の筐体（２ａ）と第２の筐体（２ｂ）を相対的に開閉させるヒンジ装置であって、
前記第１の筐体（２ａ）に対する第１取付部（３ａ）を有し、端部に第１噛合部（３ｃ）と第１カム（３ｄ）を有する第１ヒンジカム体（３）と、
前記第２の筐体（２ｂ）に対する第２取付部（４ａ）を有し、端部に第２噛合部（４ｃ）と第２カム（４ｄ）を有する第２ヒンジカム体（４）と、
前記第１ヒンジカム体（３）を回動自在に支持する第１軸体（５）と、
前記第１軸体（５）と平行に配置され前記第２ヒンジカム体（４）を回動自在に支持する第２軸体（６）と、
前記第１軸体（５）と前記第２軸体（６）とを端部で固定する連結部材（７）と、
前記第１軸体（５）と前記第２軸体（６）とに跨って軸線方向の直角方向に回動可能に支持され、一端部に前記第１噛合部（３ｃ）と噛合する第３噛合部（９ａ）を有し、他端部に前記第２噛合部（４ｃ）と噛合する第４噛合部（９ｂ）を有する歯車部材（９）と、
前記第１軸体（５）と前記第２軸体（６）とに跨って支持され、カム面（１０ａ，１０ｂ）を有して前記第１カム（３ｄ）及び前記第２カム（４ｄ）と当接し、前記第１軸体（５）と前記第２軸体（６）の軸線方向に移動可能なカムプレート（１０）と、
前記カムプレート（１０）と前記連結部材（７）との間に設けられ、前記カムプレート（１０）を前記第１カム（３ｄ）及び前記第２カム（４ｄ）側に付勢する付勢部材（１１ａ，１１ｂ）と
からなる二軸ヒンジ装置。
【請求項２】
請求項１に記載の二軸ヒンジ装置において、
前記カム面（１０ａ，１０ｂ）には、前記第１カム（３ｄ）及び前記第２カム（４ｄ）が嵌り込む凹部（１０ｃ）が設けられ、この嵌り込み係合により前記２つの筐体（２ａ，２ｂ）を一定の開閉角度位置に保持できる構成にしたことを特徴とする二軸ヒンジ装置。
【請求項３】
請求項１に記載の二軸ヒンジ装置において、
前記第１取付部（３ａ）と前記第２取付部（４ａ）の一方をスライド構成体（１３）とし、このスライド構成体（１３）と重ね合せて前記第１の筐体（２ａ）又は前記第２の筐体（２ｂ）に固定される取付部材（１４）との間で相対移動し、開閉時に前記第１の筐体（２ａ）と前記第２の筐体（２ｂ）の位置ずれを生じさせる構成にしたことを特徴とする二軸ヒンジ装置。
【請求項４】
請求項１に記載の二軸ヒンジ装置において、
開閉位置を検知するための検知装置（１９，２０）を前記第１の筐体（２ａ）又は第２の筐体（２ｂ）に設けたことを特徴とする二軸ヒンジ装置。
【請求項５】
請求項３に記載の二軸ヒンジ装置において、
前記位置ずれを生じさせる構成は、前記スライド部（１３）を支持軸（１５）で案内して重ね合わせ方向とスライド方向の動きを規制し、且つ前記付勢部材（２１）で前記取付部材（１４）に付勢させる構成で、位置ずれを生じさせるようにしたことを特徴とする二軸ヒンジ装置。
【発明の詳細な説明】
【技術分野】
【０００１】
本発明は、ノートパソコン等の電子機器に適用される二軸ヒンジ装置に関する。更に詳しくは、２つの筐体を有するノートパソコン等の折り畳み開閉を３６０度の揺動を可能にする電子機器等に対応可能な二軸ヒンジ装置に関する。
【背景技術】
【０００２】
一般的なノート型のパーソナルコンピュータ（以下、「ノートパソコン」という。）は、キーボード部を設けた筐体と、ディスプレイ部を設けた筐体で構成され、双方はヒンジ装置を介して結合され折り畳み開閉ができる構造のものが主流である。即ち、２つの筐体は、このヒンジ装置を介して回動することで開閉するようになっている。このヒンジ装置は、２つの筐体に跨って端部側に対の構造で設けられているものが多く、既に多種の構造のものが知られ公知である。
【０００３】
このヒンジ装置の主な構造としては、１軸式と２軸式とがある。１軸式は、構造は単純化できるが２つの筐体を開閉させる角度に制約がある。２軸式は、１軸式に比し多少構造は複雑になるものの開閉角度に制約がない。この２軸式は、２つの軸を介して開閉させる構造のもので、２軸の各軸構造物が回転すると同時にヒンジ部全体も回転する構造になっている。この２軸式は平行する２軸間に距離があり開閉角の余裕代が生ずることから３６０度の開閉も可能となっている。
【０００４】
この３６０度開閉可能な二軸ヒンジ装置の開閉構造の形態は、種々提案されていて、例えば、カム機構を介して２つの筐体の各々を別に１８０度で開閉できる構造にして、３６０度の開閉を可能とする例が知られている（例えば、特許文献１参照）。又、カムとギヤを使用して、２つの筐体の開閉動作を同期させて３６０度の開閉を行なう構造が知られている（例えば、特許文献２参照）。更に、ギヤとオルダム継ぎ手を使用して、２つの筐体を同期させ３６０度の開閉動作を可能にしている例も知られている（例えば、特許文献３参照）。
【先行技術文献】
【特許文献】
【０００５】
【特許文献１】特開２０１３−２４９８５５号公報
【特許文献２】特開２０１２−３７０４９号公報
【特許文献３】特開２００８−２７５１３９号公報
【発明の概要】
【発明が解決しようとする課題】
【０００６】
従来から、これらのヒンジ装置は、比較的小型であるノートパソコン等の電子機器に適用されることで、構造をコンパクトにする努力がなされている。小さくするため、例えば、カム機構やギヤを使用した構造にしているが、小さくするが故に構造は複雑になる傾向があった。前述の特許文献１に記載されたものは、一方はカム構造のみで、２つの筐体を連動させず別々に１８０度回動させ、２つの筐体で合せて３６０度の開閉を行なう構造である。
【０００７】
このため開閉動作に伴い、他方の筐体の回動を規制する等の構造で複雑になっている。又、前述の特許文献２に記載のものは、ギヤを使用する構造であるが、カム機構も使用している。この構造は、筐体のヒンジ部位に、一方側をカム機構のものにし、他方側をギヤ機構のものに分離させたヒンジ装置になっている。これは、構造が複雑になっているが故であって、しかもそのヒンジ装置の一部は筐体の外部に張り出した構造になっている。
【０００８】
特許文献３に記載された例は、前者に比しヒンジ装置を比較的簡素にした例のものであるが、オルダム継手を使用している例である。オルダム継手のすべり動作は、常時発生する構成であり、長時間の使用に際しては、磨耗で安定性に欠け確実性を求める点においては、不安を残すおそれのある構造である。構造を簡素化したとはいえ、筐体に対しての取り付けは別に取り付け部材を要する構造でもあり、取り付け部を含めて簡素化したとは言いがたく、前述したように、ヒンジ構造としての安定性、確実性にはなお問題がある。本発明は以上のような技術背景のもとになされたものであり、これら従来の構造の問題点を解決したもので、下記の目的を達成する。
【０００９】
本発明の目的は、構造が簡素で部品点数が少ない二軸ヒンジ装置を提供することにある。
本発明の他の目的は、動作がスムースで確実性がある二軸ヒンジ装置を提供することにある。
本発明の更に他の目的は、構造が簡素にして低コスト可能な二軸ヒンジ装置を提供することにある。
【課題を解決するための手段】
【００１０】
本発明は、前記目的を達成するため、次の手段を採る。
本発明１の二軸ヒンジ装置は、
第１の筐体（２ａ）と第２の筐体（２ｂ）を相対的に開閉させるヒンジ装置であって、
前記第１の筐体（２ａ）に対する第１取付部（３ａ）を有し、端部に第１噛合部（３ｃ）と第１カム（３ｄ）を有する第１ヒンジカム体（３）と、
前記第２の筐体（２ｂ）に対する第２取付部（４ａ）を有し、端部に第２噛合部（４ｃ）と第２カム（４ｄ）を有する第２ヒンジカム体（４）と、
前記第１ヒンジカム体（３）を回動自在に支持する第１軸体（５）と、
前記第１軸体（５）と平行に配置され前記第２ヒンジカム体（４）を回動自在に支持する第２軸体（６）と、
前記第１軸体（５）と前記第２軸体（６）とを端部で固定する連結部材（７）と、
前記第１軸体（５）と前記第２軸体（６）とに跨って軸線方向の直角方向に回動可能に支持され、一端部に前記第１噛合部（３ｃ）と噛合する第３噛合部（９ａ）を有し、他端部に前記第２噛合部（４ｃ）と噛合する第４噛合部（９ｂ）を有する歯車部材（９）と、
前記第１軸体（５）と前記第２軸体（６）とに跨って支持され、カム面（１０ａ，１０ｂ）を有して前記第１カム（３ｄ）及び前記第２カム（４ｄ）と当接し、前記第１軸体（５）と前記第２軸体（６）の軸線方向に移動可能なカムプレート（１０）と、
前記カムプレート（１０）と前記連結部材（７）との間に設けられ、前記カムプレート（１０）を前記第１カム（３ｄ）及び前記第２カム（４ｄ）側に付勢する付勢部材（１１ａ，１１ｂ）とからなる。
【００１１】
本発明２の二軸ヒンジ装置は、本発明１において、前記カム面（１０ａ，１０ｂ）には、前記第１カム（３ｄ）及び前記第２カム（４ｄ）が嵌り込む凹部（１０ｃ）が設けられ、この嵌り込み係合により前記２つの筐体（２ａ，２ｂ）を一定の開閉角度位置に保持できる構成にしたことを特徴とする。
【００１２】
本発明３の二軸ヒンジ装置は、本発明１において、前記第１取付部（３ａ）と前記第２取付部（４ａ）の一方をスライド構成体（１３）とし、このスライド構成体（１３）と重ね合せて前記第１の筐体（２ａ）又は前記第２の筐体（２ｂ）に固定される取付部材（１４）との間で相対移動し、開閉時に前記第１の筐体（２ａ）と前記第２の筐体（２ｂ）の位置ずれを生じさせる構成にしたことを特徴とする。
【００１３】
本発明４の二軸ヒンジ装置は、本発明１において、開閉位置を検知するための検知装置（１９，２０）を前記第１の筐体（２ａ）又は第２の筐体（２ｂ）に設けたことを特徴とする。
本発明５の二軸ヒンジ装置は、本発明３において、前記位置ずれを生じさせる構成は、前記スライド部（１３）を支持軸（１５）で案内して重ね合わせ方向とスライド方向の動きを規制し、且つ付勢部材（２１）で前記取付部材（１４）に付勢させる構成により、位置ずれを生じさせるようにしたことを特徴とする。
【発明の効果】
【００１４】
本発明の二軸ヒンジ装置は、対をなして配置される二軸ヒンジ装置であり、主要部をなすヒンジカム体は、筐体への取付部を有し、更に２つのヒンジカム体同士を同期させて回動させる噛合部と開閉位置を定めるカムを一体に設けたものである。このため、装置の部品点数が少なく、構成を簡素化することができ、操作の確実性と安定性を増し、低コストの構成が可能となった。
【００１５】
更に、２つの筐体位置を開閉時に相対的にずらすことを可能にした。これにより開閉時の干渉を避けるための筐体角部を大きなＲ面形状にする必要がなく、デザイン性の向上が図られた。更に２つの筐体の開閉状態を検知することもできる構成となった。
【図面の簡単な説明】
【００１６】
【図１】図１は、本発明の実施の形態１の二軸ヒンジ装置を適用したノートパソコンの平面図で、１８０度開いた状態を示す。
【図２】図２は、本発明の実施の形態１の二軸ヒンジ装置の構成を示す外観図である。
【図３】図３は、本発明の実施の形態１の二軸ヒンジ装置を部品分解で展開した展開図である。
【図４】図４は、本発明の実施の形態１の二軸ヒンジ装置の開閉形態を部分側面図で示す説明図である。
【図５】図５は、本発明の実施の形態２の二軸ヒンジ装置の構成を示す外観図である。
【図６】図６は、本発明の実施の形態２の二軸ヒンジ装置の構成を部品分解で展開した展開図である。
【図７】図７は、本発明の実施の形態２の二軸ヒンジ装置で、カム部材とプレートカム部の当接状態を示す説明図である。
【図８】図８は、本発明の実施の形態２の二軸ヒンジ装置で、２つの筐体の位置ずれ構成を示す説明図である。
【図９】図９は、本発明の実施の形態２の二軸ヒンジ装置で、Ｒ面形状の小さい２つの筐体の閉じた状態を示す部分側面図である。
【図１０】図１０は、本発明の実施の形態３の二軸ヒンジ装置で、検知装置取り付けの構成を示す外観図である。
【図１１】図１１は、本発明の実施の形態３の二軸ヒンジ装置で、検知装置の検知状態を部分断面図で示す説明図である。
【発明を実施するための最良の形態】
【００１７】
次に、本発明の実施の形態を図にもとづき説明する。本発明は、折り畳み開閉のできる小型の電子機器であればどのような機器でも適用できるが、実施の形態は、二軸ヒンジ装置をノートパソコンに適用した場合の構成で説明する。
【００１８】
［実施の形態１］
図１は、本発明の実施の形態１の二軸ヒンジ装置１を適用したノートパソコン２を開いたときの正面図である。このノートパソコン２は、例えば、表示部である第１筐体２ａと操作部である第２筐体２ｂで構成され、二軸ヒンジ装置１はこの２つの筐体２ａ，２ｂの間に対の配置で設けられている。この２つの筐体２ａ，２ｂは、開閉の相対的動作で二軸ヒンジ装置１を介して折り畳むことができ、３６０度の開閉動作が可能である。図１に示した状態は、１８０度の開いた状態を示す平面図である。
【００１９】
図２は、本発明に関わる二軸ヒンジ装置１の対構成の一方の全体構造を示す外観図である。図３は、その構造を成す分解部品図であり、図２で示す二軸ヒンジ装置１の展開図である。図４は、２つの筐体２ａ，２ｂが二軸ヒンジ装置１により開閉される状態を示す部分側面図で、図４（ａ）は閉じた状態を示し、図４（ｂ）は、１８０度開いた状態を示し、図４（ｃ）は３６０度開いた状態を示す。
【００２０】
二軸ヒンジ装置１は、図に示すように２軸の同時回動動作で開閉が可能なヒンジ構成となっていて、２つの筐体２ａ，２ｂに跨ってこの２つの筐体２ａ，２ｂの左右に、対の状態で取り付けられている。基本的に、この対の構成は、勝手違いはあるがどちらも同一構造なので、一方の側のみの構造、本例においては図１の右側の構造について説明する。
【００２１】
第１筐体２ａには、第１取付部３ａを有して第１ヒンジカム体３がビス等により固定されている。第１取付部３ａは、第１ヒンジカム体３と一体構成であり、第１筐体２ａ側に張り出した構成になっている。第１取付部３ａには、ビス等（図示せず）を挿入し、第１筐体２ａに取り付けるための貫通孔が設けられている。従って、第１筐体２ａとはビス等を介して固定される。図３に示すように、この第１ヒンジカム体３は、中心に貫通孔３ｂを有し、又、この第１ヒンジカム体３の一方の端部には、円周に沿って歯車状の第１噛合部３ｃと凸状（軸線方向）の第１カム３ｄが形成されている。第１噛合部３ｃは、円周１８０度以上に亘って歯状の噛合部が成形によって形成されている。
【００２２】
第１カム３ｄは、第１噛合部３ｃを外れた範囲の部位に凸状に張り出し単独で形成されている。この第１ヒンジカム体３は、第１取付部３ａと、孔３ｂと、第１噛合部３ｃと、第１カム３ｄが一体成形された変形筒状の成形部材である。この成形部材は、例えば、金属を含み強度のあるＭＩＭ等の成形品である。他方、第２筐体２ｂ側にも、勝手違いで第２ヒンジカム体４が、第２取付部４ａを有して固定されている。この第２ヒンジカム体４も同様に成形品であって中心に孔４ｂを有し、端部に歯車状の第２噛合部４ｃと凸状の第２カム４ｄが形成されている。
【００２３】
第１ヒンジカム体３の孔３ｂには、第１軸体５が相対回動自在に挿入され、又、この第１軸体５に平行に、第２ヒンジカム体４の孔４ｂにも、第２軸体６が相対回動自在に挿入されている。この両軸体５，６の端部には、両軸体５，６に跨って連結部材７が連結されている。従って、第１軸体５と第２軸体６は、連結部材７により一体化されている。又、第１ヒンジカム体３と第２ヒンジカム体４の間には、両軸体５，６の軸線に直角方向に、両軸体５，６に跨ってピン８が挿入されている。
【００２４】
このピン８に歯車９が支持され、回動可能に設けられている。本実施の形態では、ピン８で歯車９を回転自在に支承する構成にしているが、ピン８を使用せず歯車９の端部に支持部を設け、この支持部を介し両軸体５，６で支持される構造にしてもよい。この歯車９の両端部には噛合部が形成されていて、一方の第３噛合部９ａは第１噛合部３ｃと噛みあい、他方の第４噛合部９ｂは第２噛合部４ｃとが交差して噛みあうようになっている。この噛合部は、回転、又は揺動を伝達するものであれば、ピン歯車状のものであってもよく、又はベベルギヤ状のかみ合い構成のものであってもよい。
【００２５】
即ち、第１噛合部３ｃと第２噛合部４ｃとは、歯車９を介して９０度向きを変えて連動し同期して回動する構成になっているので、第１噛合部３ｃが回動すると、歯車９を介して同時に第２噛合部４ｃが回動する。一方、第１軸体５と第２軸体６に跨って、軸方向移動可能にカムプレート１０が設けられている。このカムプレート１０には、第１ヒンジカム体３と第２ヒンジカム体４に対向して、各々の位置にカム面１０ａ，１０ｂが形成され、このカム面１０ａ，１０ｂに各々第１カム３ｄ及び第２カム４ｄが当接している。
【００２６】
カムプレート１０と連結部材７との間の各軸体５，６には、コイルスプリングである付勢部材１１ａ，１１ｂが設けられ、この付勢部材１１ａ，１１ｂの付勢力により、カムプレート１０は、第１カム３ｄ及び第２カム４ｄ側に常時押圧されている。図においては、この付勢部材１１ａ，１１ｂを、第１軸体５と第２軸体６に各々挿入された構造になっているが、単独の付勢部材を連結部材７に直接保持させ、カムプレート１０を付勢させる構造のものであってもよい。
【００２７】
カム面１０ａ，１０ｂは、第１カム３ｄ及び第２カム４ｄが当接する際に、筐体の開閉位置を選択的に位置決めするための凹部１０ｃが設けられている。第１カム３ｄ及び第２カム４ｄが、この凹部１０ｃに嵌りこむと、２つの筐体２ａ，２ｂの回動状態を停止（角度位置決め）させることができ、筐体の開閉角度を定位置で保持することができる。例えば、１８０度の開閉位置を保持させる構造にする場合は、筐体がこの位置に保持できるように、カムプレート１０のカム面１０ａ，１０ｂの所定位置に、ノッチ穴状の凹部１０ｃを設けるようにすればよい。
【００２８】
再び開閉操作を行なう場合は、手操作で筐体の開閉を強制的に行なうと、第１カム３ｄ及び第２カム４ｄが凹部１０ｃから外れ、カムプレート１０は、第１カム３ｄ及び第２カム４ｄの回動動作で、付勢部材１１ａ，１１ｂの付勢力に抗し連結部材７側に戻され移動する。この移動で、第１カム３ｄ及び第２カム４ｄは、カム面１０ａ，１０ｂのフラット面に乗り上げ、２つの筐体２ａ，２ｂの回動が可能となる。
【００２９】
二軸ヒンジ装置１は、このような部品点数の少ない簡素な構成になるが、詳細は図示していないが、動作部分をカバー１２で覆うことがなされているので、前述した内容の構成は操作者に露見することはない。このような構成になる二軸ヒンジ装置１の開閉操作を行う状態が、図４に示された形態となる。図４（ａ）は、２つの筐体が閉じられた状態を示す。
【００３０】
このとき二軸ヒンジ装置１は、筐体内に内装された状態になるので、外部に露出することはない。図は表示部である第１筐体２ａを第２筐体２ｂに比し薄い形状としている。通常ノートパソコン２を机上において開閉するときは、第２筐体２ｂを机上に置き、第１筐体２ａを持ち上げ開閉する。
【００３１】
図４（ｂ）は、２つの筐体２ａ，２ｂが１８０度開閉した状態を示す。２つの筐体２ａ，２ｂは、二軸ヒンジ装置１の第１軸体５と第２軸体６の各々の軸周りに９０度回動すると同時に、二軸ヒンジ装置１そのものも公転状態で９０度回動し、筐体は１８０度の開きとなる。２つの筐体２ａ，２ｂは、この開閉を相互に干渉なく、スムースに行なえるように角部はＲ面形状となっている。
【００３２】
このＲ面形状により、図４（ｂ）の二点鎖線の開閉途中の状態で示すように、第１の筐体２ａは第２の筐体２ｂとの間で干渉することなく開閉させることができる。図４（ｃ）は、２つの筐体２ａ，２ｂが３６０度開閉した状態を示す。この状態になると、両筐体は表示部と操作部が両表面に露出した外観となる。本発明の構成は、基本的に以上説明した構成になるが、次に他の実施の形態について説明する。
【００３３】
［実施の形態２］
図５に示す実施の形態２の構造は、基本構成は前述した図１の右側に示す同様構造のものとほぼ同一であるが、この例は、２つの筐体２ａ，２ｂを開閉させる際、相対的に２つの筐体２ａ，２ｂの位置をずらすことを可能にした構成である。前述の場合は開閉動作に伴い、２つの筐体２ａ，２ｂの角部の干渉を避けるため、角部をＲ面形状としている。
【００３４】
実施の形態２の構造は、そのＲ面形状を大きく施さなくても干渉することなく開閉操作を行なえるようにしたものである。図６は、図５で示す構成において、本実施の形態２に関わる部分のみ部品分解で示した展開図である。本構造は、２つの筐体２ａ，２ｂの一方の第２筐体２ｂ側の取付部の構造を、変形させたものである。第２ヒンジカム体４の第２筐体２ｂ側をステー状に張り出し、前述した取付部４ａの構成を、スライド部１３への取付構造に変形したものである。
【００３５】
このスライド部１３は、２つの長溝１３ａ，１３ｂを有している。一方、第２筐体２ｂに対しては、第２ヒンジカム体４とは分離して単独に第２の取付部である取付プレート１４を固定する。この取付プレート１４には、この取付プレート１４を第２筐体２ｂへ取り付けるための貫通孔１４ａと、スライド部１３をこの取付プレート１４に重ね合わせの状態で、固定ピン１５を取り付けるための貫通孔１４ｂが設けられている。固定ピン１５は、貫通孔１４ｂに貫通後、先端をかしめにより固定される。
【００３６】
この取り付けは、スライド部１３の長溝１３ａ，１３ｂを介し固定ピン１５によっていて、プレート１６を挟んで、スライド部１３と取付プレート１４とは、第２軸体６の軸線に対し直角方向に相対的に移動可能に取り付けられるようになっている。この固定ピン１５は、首下に段差部１５ａを有してプレート１６に当接し、スライド部１３の長溝１３ａ，１３ｂに対しての部位は、ピン形状部１５ｂを有している。
【００３７】
スライド部１３の取り付けの孔は、長楕円状の長溝１３ａ，１３ｂになっているので、取付プレート１４との間では長溝１３ａ，１３ｂに沿って、ピン形状部１５ｂによって案内され取り付け位置の移動が可能である。この移動のためには、所定の隙間が必要となる。しかし、この隙間のためスライド部１３と取付プレート１４との間にガタが生じると支障が出るので、このガタを除くため、固定ピン１５の首下の段差部１５ａとプレート１６との間に、重ね合せ方向に付勢する付勢部材２１を設けた。
【００３８】
この付勢部材２１は、中央に弾性変形する凹部を有する板状のもので、２つの貫通孔を有し、挟み重ね合わせ方向に凹部で弾性押圧する板バネである。この板バネの付勢力でスライド部１３を取付プレート１４に押圧しガタを除いている。しかし、この付勢部材２１は、板バネに限定されず、皿バネであってもよく、付勢機能を有するものであればどのようなものでもよい。
【００３９】
一方の長溝１３ａには、付勢部材１７が設けられていて、取付プレート１４に固定されている固定ピン１５を付勢し、取付プレート１４を第２軸体６側に押圧している。即ち、第２ヒンジカム体４と第２筐体２ｂ側とは近寄る方向に押圧されて、２つの筐体２ａ，２ｂの姿勢を維持している。
【００４０】
この取付プレート１４には、折り曲げ構造によるプレートカム部１４ｃが一体で設けられていて、第２軸体６に固定されたカム部材１８とこのプレートカム部１４ｃのカム面が当接するようになっている。即ち、開閉動作に伴い、第２ヒンジカム体４が第２軸体６と相対的に回動すると、カム部材１８の中心位置Ｓに対するプレートカム部１４ｃの当接位置が付勢部材１７の付勢力に抗して相対的にずれる。このずれが第２ヒンジカム体４と取付プレート１４の位置ずれとなり、結果的に二軸ヒンジ装置１は、第２筐体２ｂから離れる方向に位置が相対的に変わることになる。
【００４１】
このずれは、カム部材１８のカム形状によって定められる。このカム形状は２つの筐体２ａ，２ｂが角部を大きくＲ面形状に施さなくても、干渉しない位置を維持しながら、開閉動作を行なうことができる離間寸法の得られる形状とする。例えば、カム部材１８のカム形状を図７に示す形状にすると、開閉回動に伴い、図の二点鎖線位置Ｈに示すように、プレートカム部１４ｃはカム部材１８の中心位置Ｓに対し、相対的に位置がずれる。
【００４２】
このような構成において、この位置ずれの各動作部の動きをよくするためグリース等の潤滑剤を塗布している。本例では、スライド１３ａ，１３ｂの固定ピン１５のピン形状部１５ｂまわり、スライド部１３と取付プレート１４との間、カム部材１８とプレートカム部１４ｃの当接部である。しかしこの各動作部の動きをよくするため、グリースを要しない潤滑性のある部材構成にしてもよい。
【００４３】
この開閉に伴う筐体の開閉軌跡は、図８に示す形態となる。図８は、カム部材１８の中心Ｓを基点にしてのずれを示すための模式的な説明図としている。図８のＸ位置の軌跡が、本実施の形態２の構造を有しない、前述した実施の形態１の場合の開閉軌跡である。これに対し、Ｙ位置の軌跡が、本実施の形態２における筐体の開閉軌跡となる。Ｘ，Ｙは２つの筐体２ａ，２ｂ間の位置構成を示しているが、Ｚはその寸法差を示し、本発明構成によって生ずるずれである。
【００４４】
図８で示すように、第１筐体２ａは第２筐体２ｂに対し、開閉動作に伴い相互の筐体が離間しながら開閉を行なうことができる。このため筐体の角部を大きくＲ面形状にする必要がない筐体構成が実現できる。この構成を示したのが図９で、Ｒ面形状の小さい構成の２つの筐体２ａ，２ｂが閉じたときの部分側面図である。大きくＲ面形状にしない構成の筐体はデザイン性の効果が大きく、この筐体を閉じたときは、箱状形態のすっきりしたデザイン構成の筐体構成が可能となる。以上本実施の形態２を第２筐体２ｂに設けることで説明したが、第１筐体２ａに適用してもよいことはいうまでもない。
【００４５】
［実施の形態３］
次に、図１０、１１をもとに、本発明の実施の形態３の二軸ヒンジ装置を説明する。実施の形態３の二軸ヒンジ装置は、開閉動作に伴う開閉角度位置を検知するための検知装置を有するものである。本実施の形態３のものは、２つの筐体２ａ，２ｂが閉じたことを検知するための構成である。本構造を第１筐体２ａに適用したときの例で説明する。図１０に示すように、第１軸体５の端部に接触子１９が固定されている。この接触子１９は、取り付け部がフラット構成で、端部が検知子１９ａとなっている。
【００４６】
この検知子１９ａの位置を検知する検知手段２０が、第１筐体２ａに設けられている。この検知手段２０は、図１１に模式的に示すように、第２筐体２ｂ内部の壁面に固定されている。図１１（ａ）に示すように、開閉時に二軸ヒンジ装置１は、第１筐体２ａが第２筐体２ｂと相対動作を行ない閉じたとき、検知子１９ａが検知手段２０に接触し導電状態となり、閉じたことを検知している。このように本実施の形態３の検知装置においては、２つの筐体２ａ，２ｂが閉じたときに接触して閉じたことを検知している。
【００４７】
この検知により例えば、ノートパソコンが閉じたときは、使用していない状態であるので、閉じたことを検知しノートパソコンの電源を自動的に遮断する等のことを行なうことができる。又、３６０度回動させた状態を検知する設定にすると、表示部が露出し、タブレット端末として利用が可能となり、そのため操作部の機能を停止させる検知手段とすることも可能である。このように、検知子１９ａが検知手段２０に対して相対位置の設定ができるので、この位置関係を検知したい２つの筐体の開閉角度を任意に設定することができる。
【００４８】
図１１（ｂ）に示すように、開くときは接触状態にならないので、非導電状態となり自動的に遮断解除の状態となる。このように本実施の形態３のものは、ノートパソコン使用時に仮に電源を遮断せず閉じたとしても、自動的に電源遮断が実現できるので、節電効果を高めるのにも寄与し効果がある。
【００４９】
この検知手段２０は、本実施の形態３においては、接触する検知手段として説明したが、無接触の検知手段であってもよい。検知装置は２つの筐体のいずれの筐体に適用してもよいが、本実施の形態３を実施の形態２に適用する場合は、位置ずれを行なわない側の筐体と二軸ヒンジ装置に適用する。
【符号の説明】
【００５０】
１…二軸ヒンジ装置
２ａ…第１筐体
２ｂ…第２筐体
３…第１ヒンジカム体
４…第２ヒンジカム体
５…第１軸体
６…第２軸体
７…連結部材
８…ピン
９…歯車
１０…カムプレート
１１ａ，１１ｂ、１７，２１…付勢部材
１２…カバー
１３…スライド部
１４…取付プレート
１５…固定ピン
１６…プレート
１８…カム部材
１９…接触子
２０…検知手段
【図１】
2015190584.tif 000003
【図２】
2015190584.tif 000004
【図３】
2015190584.tif 000005
【図４】
2015190584.tif 000006
【図５】
2015190584.tif 000007
【図６】
2015190584.tif 000008
【図７】
2015190584.tif 000009
【図８】
2015190584.tif 000010
【図９】
2015190584.tif 000011
【図１０】
2015190584.tif 000012
【図１１】
2015190584.tif 000013